(57)【要約】【課題】搬送時に衝撃を与えられた場合や、電子部品の固有振動数付近の振動が与えられた場合に、衝撃や振動が電子部品に伝搬することがなく十分に電子部品を保護することができ、梱包用のダンボール箱に充填するウレタン等の緩衝剤を大幅に削減できる電子部品の収納容器を提供する。【解決手段】電子部品８を１以上収納することができる中空部２を備え、該中空部２の周囲を囲む壁面の一部又はすべてに蛇腹状の衝撃吸収構造７が設けられているものである。【選択図】        図１
2004331141.tif 000002
【特許請求の範囲】
【請求項１】
電子部品を１以上収納することができる中空部を備え、
該中空部の周囲を囲む壁面の一部又はすべてに衝撃吸収構造が設けられていることを特徴とする電子部品の収納容器。
【請求項２】
前記衝撃吸収構造は、前記中空部の周囲を囲む壁面の一部又はすべてを蛇腹状にすることからなることを特徴とする請求項１記載の電子部品の収納容器。
【請求項３】
前記衝撃吸収構造は、前記中空部の周囲を囲む壁面の一部又はすべてを湾曲させることからなることを特徴とする請求項１記載の電子部品の収納容器。
【請求項４】
前記中空部の周囲を囲む壁面の一部又はすべてが弾性的に伸縮することを特徴とする請求項１〜３のいずれかに記載の電子部品の収納容器。
【請求項５】
前記中空部の周囲を囲む壁面の一部を、前記中空部の周囲を囲む壁面の他の部分よりも薄くしたことを特徴とする請求項４記載の電子部品の収納容器。
【発明の詳細な説明】
【０００１】
【発明の属する技術分野】
本発明は電子部品の収納容器に関し、更に詳しくは電子部品を梱包し搬送する際に、衝撃や振動によって電子部品が破損することを効果的に防止する電子部品の収納容器に関する。
【０００２】
【従来の技術】
従来の電子部品の収納容器（マガジンチューブ）では、樹脂等を電子部品や精密部品の外形の形状に合わせて中空成型し、内部が空洞になっている筒状のマガジンチューブを作成して、空洞部分に電子部品等を入れて保護していた。また、半導体装置の搬送等の際に半導体装置がマガジンチューブから放出又は落下しないように、マガジンチューブに開口部を設けてストッパーを差し込むことにより半導体装置を固定するものがあった（例えば、特許文献１参照）。
【０００３】
【特許文献１】
特開平１１−２３６０８９号公報（第５頁、図１）
【０００４】
【発明が解決しようとする課題】
従来のマガジンチューブ（例えば、特許文献１参照）では、搬送等の際に電子部品等が外部の物体と接触して、端子が曲がったり、傷ついて破損したりするのを防止するため、マガジンチューブの周囲の壁により電子部品等を保護するものであった。しかし、このような従来のマガジンチューブでは、搬送時に衝撃を与えられた場合や、電子部品等の固有振動数付近の振動が与えられた場合には、衝撃や振動がマガジンチューブを介して電子部品等に伝搬して、十分に保護することができないという問題点があった。
また、上記のようにマガジンチューブだけでは電子部品等を十分に保護できない場合には、搬送用のダンボール箱にマガジンチューブを梱包する際に、マガジンチューブの周囲にウレタンや発泡スチロール等の緩衝剤を多量に充填する必要があった。
【０００５】
このため、搬送時に衝撃を与えられた場合や、電子部品の固有振動数付近の振動が与えられた場合に、衝撃や振動が電子部品に伝搬することがなく十分に電子部品を保護することができる電子部品の収納容器が望まれていた。またさらに、梱包用のダンボール箱に充填するウレタン等の緩衝剤を大幅に削減できる電子部品の収納容器が望まれていた。
【０００６】
【課題を解決するための手段】
本発明に係る電子部品の収納容器は、電子部品を１以上収納することができる中空部を備え、中空部の周囲を囲む壁面の一部又はすべてに、電子部品を衝撃又は振動から守る衝撃吸収構造が設けられているものである。
【０００７】
また本発明に係る電子部品の収納容器は、上記の衝撃吸収構造が、中空部の周囲を囲む壁面の一部又はすべてを蛇腹状にすることからなるものである。
【０００８】
また本発明に係る電子部品の収納容器は、上記の衝撃吸収構造が、中空部の周囲を囲む壁面の一部又はすべてを湾曲させることからなるものである。
【０００９】
また本発明に係る電子部品の収納容器は、中空部の周囲を囲む壁面の一部又はすべてが弾性的に伸縮するものである。
【００１０】
また本発明に係る電子部品の収納容器は、中空部の周囲を囲む壁面の一部を、中空部の周囲を囲む壁面の他の部分よりも薄くしたものである。
【００１１】
【発明の実施の形態】
実施形態１．
図１は、本発明の実施形態１に係る電子部品や電子機器に使用される精密部品の外形の形状に合わせて中空成形した収納容器の斜視模式図である。マガジンチューブ本体１は樹脂からできており、静電気が発生しないように導電性のコーティングが施してある。またマガジンチューブ本体１は、空洞である中空部２を有し、その周囲は側壁３、上壁４及び底壁５によって囲まれている。マガジンチューブ本体１は、図１の矢印Ａの方向に細長い筒状の構造をしているが、図１では模式的にマガジンチューブ本体１を短く描いている。左右の側壁３の一部には、側壁３を蛇腹状にした衝撃吸収構造７が設けられている。この電子部品の収納容器を使用して電子部品を搬送するときは、中空部２の内部に複数の電子部品８を順にマガジンチューブ本体１の端の開口部から入れていく。この際、電子部品８同士がぶつからないように緩衝材を入れたり、開口部を塞ぐためのパッキングなどを使用してもよい。
なお、図１では中空部２の断面が上部及び下部の２層構造になっているものを示しているが、中空部２の断面は電子部品８の形状によって変わるものであり、コの字型等であってもよい。また、マガジンチューブ本体１に２列以上の中空部２を形成して、多数の電子部品８を収納するようにしてもよい。
【００１２】
図２は、図１の電子部品の収納容器に衝撃を与えられた場合や、電子部品の固有振動数付近の振動が与えられた場合の作用を示す図である。ダンボール箱等に電子部品８を入れたマガジンチューブ本体１が梱包されてトラック等で搬送される場合は、主に矢印Ｘの方向（上方向）の衝撃又は振動を受ける。矢印Ｘの方向の衝撃又は振動は底壁５側からマガジンチューブ本体１の上部側へ伝わるが、衝撃吸収構造７の下側の斜面７ａに伝わった衝撃又は振動は、図２のＺ方向（水平方向）とＹ方向（上方向）に分散され、矢印Ｘの方向の衝撃又は振動は減衰される。同様にして順次上側の斜面７ｂ、７ｃ及び７ｄで矢印Ｘ方向の衝撃及び振動は減衰されて、結果的に電子部品８に加わる衝撃又は振動Ｖ（図２参照）は大幅に減衰されることとなる。これは図２の右側の側壁３の衝撃吸収構造７だけでなく、左側の側壁３の衝撃吸収構造７についても同様である。
なお本実施形態１では、蛇腹状の衝撃吸収構造７が４つの斜面７ａ、７ｂ、７ｃ及び７ｄからなり、左右の側壁３の下部の一部に設けた場合を示したが、左右の側壁３の全体を蛇腹状の衝撃吸収構造７にしてもよい。また、衝撃吸収構造７の部分を別部材で作成するようにしてもよい。
本実施形態１の電子部品の収納容器（マガジンチューブ本体１）は、図１のような断面を有する金型を使用して中空押し出し成形することにより容易に作成することができる。
【００１３】
本実施形態１では、左右の側壁３の一部に側壁３を蛇腹状にした衝撃吸収構造７が設けられているため、マガジンチューブ本体１に上向きの衝撃又は振動が加わった時に、水平方向に衝撃又は振動が分散されるため、電子部品８に加わる衝撃又は振動が大幅に減少し、電子部品８が破損するのを効果的に防止することができる。また、マガジンチューブ本体１に電子部品８が入れられた状態で、マガジンチューブ本体１が床面等に落下した場合でも、電子部品８に加わる衝撃を抑えることができる。
さらに、衝撃吸収構造７が衝撃又は振動を大幅に減衰させるため、梱包用のダンボール箱のマガジンチューブの周囲に充填するウレタン等の緩衝剤を大幅に削減することができる。
【００１４】
実施形態２．
図３は、本発明の実施形態２に係る電子部品の収納容器の斜視模式図である。本実施形態２に係る電子部品の収納容器では、図１の実施形態１の左右の側壁３の一部を蛇腹状にした衝撃吸収構造７の代わりに、左右の側壁３の一部をＵ字型に湾曲させた衝撃吸収構造７が設けられている。なお、この左右の側壁３を湾曲させた衝撃吸収構造７は図３のもの以外に、左右の側壁３の全体を湾曲させたり、Ｕ字形に湾曲させた構造を２段以上設けてもよい。
その他の構成については、図１の実施形態１の電子部品の収納容器と同様である。
【００１５】
本実施形態２では、左右の側壁３の一部をＵ字型に湾曲させた衝撃吸収構造７が設けられているため、実施形態１と同様にマガジンチューブ本体１に上向きの衝撃又は振動が加わった時に、水平方向に衝撃又は振動が分散されるため、電子部品８に加わる衝撃又は振動が大幅に減少し、電子部品８が破損するのを効果的に防止することができる。
【００１６】
実施形態３．
図４は、本発明の実施形態３に係る電子部品の収納容器の斜視模式図である。本実施形態３では、左右の側壁３の一部を蛇腹状にした衝撃吸収構造７の部分の壁面の厚さが、側壁３の他の部分よりも薄くなっている。また、マガジンチューブ本体１は樹脂で出来ているため、薄くなっている衝撃吸収構造７の部分が弾性的に伸縮するようになっている。なお衝撃吸収構造７の弾性の強さは、衝撃吸収構造７の伸縮によって電子部品８が破損しない程度にし、電子部品の固有振動数付近の振動と共振しないようにすることが望ましい。
なお図１の実施形態１と同様に、左右の側壁３のすべてを弾性的に伸縮する衝撃吸収構造７にしてもよい。また、衝撃吸収構造７をゴム等の弾性のある別部材にしてもよい。
その他の構成については、図１の実施形態１の電子部品の収納容器と同様である。
【００１７】
本実施形態３では、左右の側壁３の一部を蛇腹状にした衝撃吸収構造７の部分の壁面の厚さが、側壁３の他の部分よりも薄くなっており、衝撃吸収構造７が弾性的に伸縮するようになっているので、マガジンチューブ本体１に上向きの衝撃又は振動が加わった時に、衝撃吸収構造７がクッションの働きをして電子部品８が破損するのを防止する。また図１の実施形態１と同様に、水平方向に衝撃又は振動が分散されるため、電子部品８に加わる衝撃又は振動が大幅に減少し、電子部品８が破損するのを効果的に防止することができる。
【００１８】
実施形態４．
図５は、本発明の実施形態４に係る電子部品の収納容器の前面の模式図である。本実施形態４では、左右の側壁３の一部を蛇腹状の衝撃吸収構造７にしてある他に、上壁４の一部と底壁５の一部を蛇腹状の衝撃吸収構造７にしている。
なお、これら４カ所の衝撃吸収構造７は、図３の実施形態２のようにＵ字型に湾曲させたものや、図４の実施形態３のように弾性的に伸縮するものであってもよい。また、左右の側壁３、上壁４，底壁５のすべてを衝撃吸収構造７にしてもよい。
その他の構成については、図１の実施形態１の電子部品の収納容器と同様である。
【００１９】
本実施形態４では、左右の側壁３の一部を蛇腹状の衝撃吸収構造７にしてある他に、上壁４の一部と底壁５の一部を蛇腹状の衝撃吸収構造７にしているので、マガジンチューブ本体１に水平方向の衝撃又は振動が加わった時にも、衝撃又は振動が分散されるため、電子部品８に加わる衝撃又は振動が大幅に減少し、電子部品８が破損するのを効果的に防止することができる。また、マガジンチューブ本体１に電子部品８が入れられた状態で、マガジンチューブ本体１が床面等に落下した場合でも、実施形態１よりも効果的に電子部品８に加わる衝撃を抑えることができる。
【００２０】
【発明の効果】
以上のように本発明によれば、電子部品を１以上収納することができる中空部を備え、該中空部の周囲を囲む壁面の一部又はすべてに衝撃吸収構造が設けられているため、マガジンチューブ本体に衝撃又は振動が加わった時に、衝撃又は振動が分散されるため、電子部品に加わる衝撃又は振動が大幅に減少し、電子部品が破損するのを効果的に防止することができる。また、マガジンチューブ本体に電子部品が入れられた状態で、マガジンチューブ本体が床面等に落下した場合でも、電子部品に加わる衝撃を抑えることができる。
さらに、衝撃吸収構造が衝撃又は振動を大幅に減衰させるため、梱包用のダンボール箱のマガジンチューブの周囲に充填するウレタン等の緩衝剤を大幅に削減することができる。
【図面の簡単な説明】
【図１】本発明の実施形態１に係る電子部品の収納容器の斜視模式図である。
【図２】図１の電子部品の収納容器に衝撃又は振動が与えられた場合の作用を示す図である。
【図３】本発明の実施形態２に係る電子部品の収納容器の斜視模式図である。
【図４】本発明の実施形態３に係る電子部品の収納容器の斜視模式図である。
【図５】本発明の実施形態４に係る電子部品の収納容器の前面の模式図である。
【符号の説明】
１  マガジンチューブ本体、２  中空部、３  側壁、４  上壁、５  底壁、７衝撃吸収構造、８  電子部品。
【図１】
2004331141.tif 000003
【図２】
2004331141.tif 000004
【図３】
2004331141.tif 000005
【図４】
2004331141.tif 000006
【図５】
2004331141.tif 000007